(57)【要約】【課題】パッドの形状や面積を精度よく管理可能で、かつ安価なプリント配線板を提供する。【解決手段】パッド３を、ソルダレジスト５のない非被覆領域Ｍに配置したプリント配線板１において、ソルダレジスト５の非被覆領域Ｍ側の縁部に、第一層５ａと第一層の上に重なった第二層５ｂとを形成する。第二層５ｂは、第一層５ａを形成する第一樹脂材と異なる第二樹脂材を硬化させて形成される。第二層５ｂの非被覆領域Ｍ側の端部５ｂ１を、第一層５ａの非被覆領域Ｍ側の端部５ａ１よりも後退させる。【選択図】図２
2020113681.tif 000002
【特許請求の範囲】
【請求項１】
パッドと、回路パターンと、回路パターンを被覆するソルダレジストとを有し、前記パッドを、ソルダレジストのない非被覆領域に配置したプリント配線板において、
前記ソルダレジストの前記非被覆領域側の縁部に、互いに重なった第一層と第二層とを設け、前記第一層が第一樹脂材を硬化させて形成されると共に、前記第二層が、前記第一樹脂材と異なる第二樹脂材を硬化させて形成され、
前記第二層の前記非被覆領域側の端部を、前記第一層の前記非被覆領域側の端部よりも後退させたことを特徴とするプリント配線板。
【請求項２】
前記第一樹脂材の粘度を、前記第二樹脂材の粘度よりも高くした請求項１に記載のプリント配線板。
【請求項３】
前記第一層および第二層を、それぞれスクリーン印刷により形成した請求項１または２に記載のプリント配線板。
【請求項４】
前記第一層を、前記非被覆領域の周囲のみに設けた請求項１〜３の何れか１項に記載のプリント配線板。
【請求項５】
前記第一層を、パッドから離隔させて設けた請求項１〜４の何れか１項に記載のプリント配線板。
【請求項６】
前記第一層を、パッドの縁部上に設けた請求項１〜４の何れか１項に記載のプリント配線板。
【発明の詳細な説明】
【技術分野】
【０００１】
本発明は、プリント配線板に関する。
【背景技術】
【０００２】
プリント配線板には、銅箔等の導電性材料により、回路パターンと電子部品を実装するためのパッド（電極パッド）とが設けられる。回路パターンの保護、回路パターンの短絡防止、さらに銅箔の酸化防止等の観点から、プリント配線板の回路パターン側の表面は絶縁性樹脂からなるソルダレジストによって覆われる。パッドに電子部品をはんだ付けするため、パッドはソルダレジストには覆われず、露出した状態にある。
【０００３】
精度が要求される場合のソルダレジストのパターンは、写真現像方式により形成することが多い。具体的には、例えば下記の特許文献１に示されるように、絶縁基板上に回路パターンを形成した後、基板の表面全体に光硬化性樹脂を塗布し、マスクフィルムを介して露光し、さらに現像処理を施すという手順を経て、ソルダレジストのパターンを形成する手順を経ることになる。
【先行技術文献】
【特許文献】
【０００４】
【特許文献１】特開昭６３−２００５９４号公報
【発明の概要】
【発明が解決しようとする課題】
【０００５】
特許文献１に記載されるような写真現像方式によるソルダレジストのパターン形成は、工数が多く、高コスト化する問題がある。これに対し、スクリーン印刷によりソルダレジストを形成すれば、露光処理や現像処理が不要となるため、プリント配線板の低コスト化を図ることができる。
【０００６】
その一方で、近年のチップ部品（例えば積層セラミックコンデンサ）は小型化が進展しており、これまで汎用されていた１００５サイズから０６０３サイズに移行しつつある。これに伴って、パッドの面積も小さくなる傾向にある。このようにパッド面積が小さくなると、ソルダレジストをスクリーン印刷した際に、スクリーンメッシュの劣化による位置ずれやインクの滲み出しにより、パッド上にソルダレジストがはみ出すおそれがある。このはみ出しを放置してプリント配線板に電子部品をはんだ付けすると、パッド上のはんだ量が変動するため、表面張力の相違等により、リフロー炉を通した際にチップ部品が起立する、いわゆるマンハッタン現象を生じるおそれがある。従って、パッドの表面が既定の形状および面積となるように、パッド上へのインクのはみ出しは極力避ける必要がある。
【０００７】
インクのはみ出しを防止するため、パッドとソルダレジストとの間隔（レジストクリアランス）を大きくすることが考えられるが、これでは、近年重要視される高密度実装化の要請に反する結果となる。この他、インクを高粘度タイプに置き換えることも考えられるが、これでは回路パターンの角部に潤沢なインクを乗せることが難しくなり、ソルダレジストの絶縁性能が低下する。
【０００８】
そこで、本発明は、パッドの形状や面積を精度よく管理可能で、かつ安価なプリント配線板を提供することを目的とする。
【課題を解決するための手段】
【０００９】
上記の課題を解決するため、本発明にかかるプリント配線板は、パッドと、回路パターンと、回路パターンを被覆するソルダレジストとを有し、前記パッドを、ソルダレジストのない非被覆領域に配置したプリント配線板において、前記ソルダレジストの前記非被覆領域側の縁部に、互いに重なった第一層と第二層とを設け、前記第一層が第一樹脂材を硬化させて形成されると共に、前記第二層が、前記第一樹脂材と異なる第二樹脂材を硬化させて形成され、前記第二層の前記非被覆領域側の端部を、前記第一層の前記非被覆領域側の端部よりも後退させたことを特徴とするものである。
【００１０】
このように第一樹脂材と第二樹脂材を異ならせることで、第一層を形成する第一樹脂材として、ソルダレジストを高精度に形成できるものを選択することができる。また、第二層の非被覆領域側の端部を、第一層の非被覆領域側の端部よりも後退させているので、第二層をたとえラフに形成しても、パッド上に第二層がはみ出し難くなる。そのため、パッドの形状や面積を精度よく管理することが可能となる。また、適切な樹脂材を選択するだけで足りるので、プリント配線板の製作コストを低廉化することができる。
【００１１】
かかる作用効果を得る上では、第一樹脂材の粘度を、第二樹脂材の粘度よりも高くするのが好ましい。粘度の高い第一樹脂材は塗布後に滲み出し難いため、高精度のソルダレジスト開口形状形成が可能となる。第一層の形成後に、粘度の低い第二樹脂材を塗布しても、第二層の非被覆領域側の端部を、第一層の非被覆領域側の端部よりも後退させているため、塗布した第二樹脂材に多少の位置ずれや滲み出しがあっても、第二樹脂材がパッドまで到達することがない。従って、パッド上へのソルダレジストのはみ出しを防止することができ、パッドの形状や面積を精度よく管理することが可能となる。回路パターンのほとんどの部分は、低粘度樹脂を使用した第二層で覆われるため、回路パターンの角部にも確実にソルダレジストを形成することができる。従って、回路パターンの絶縁性の低下を回避することができる。
【００１２】
前記第一層および第二層は、それぞれスクリーン印刷により形成するのが好ましい。一般的なスクリーン印刷では、スクリーン版の経時劣化による伸び等が不可避であるため、ソルダレジストのはみ出し防止には限界があるが、上記構成を採用することで、ソルダレジストのはみ出しを防止してパッドの形状や面積を高精度に管理することができる。従って、コスト面でのメリットの大きいスクリーン印刷を問題なく採用することができる。
【００１３】
また、第一層は、非被覆領域の周囲のみに設けることができる。
【００１４】
前記第一層は、パッドから離隔させて設けてもよいし、パッドの縁部上に設けてもよい。
【発明の効果】
【００１５】
本発明によれば、パッドの形状や面積を精度よく管理可能で、かつ安価なプリント配線板を提供することができる。これにより、プリント配線板に実装する電子部品の小型化にも対応することが可能となる。
【図面の簡単な説明】
【００１６】
【図１】プリント配線板の第一の実施形態を示す平面図である。
【図２】図１のＡ−Ａ線で矢視した断面図である。
【図３】図１のＢ−Ｂ線で矢視した断面図である。
【図４】プリント配線板の第二の実施形態を示す平面図である。
【図５】図４のＣ−Ｃ線で矢視した断面図である。
【図６】プリント配線板の第三の実施形態を示す平面図である。
【図７】図６のＤ−Ｄ線で矢視した断面図である。
【図８】プリント配線板の第三の実施形態の変形例を示す平面図である。
【図９】図８のＤ’−Ｄ’線で矢視した断面図である。
【図１０】プリント配線板の第四の実施形態を示す平面図である。
【図１１】図１０のＥ−Ｅ線で矢視した断面図である。
【発明を実施するための形態】
【００１７】
以下、プリント配線板の実施形態を図１〜図９に基づいて説明する。
【００１８】
図１〜図３は、本発明にかかるプリント配線板の第一の実施形態を示すものである。このうち、図１は、第一の実施形態を示す平面図である。図２は、図１のＡ−Ａ線で矢視した断面図であり、図３は、図１のＢ−Ｂ線で矢視した断面図である。図１においては、後述するソルダレジスト５の第一層５ａが形成された領域に散点模様が付されており、第二層５ｂが形成された領域にハッチングが付されている。
【００１９】
図１〜図３に示すように、このプリント配線板１は、絶縁材料からなるベース材２と、ベース材２の表面に導電性材料（例えば銅箔）で形成されたパッド３および回路パターン４と、回路パターン４を被覆するソルダレジスト５とを有する。図１では、矩形状の輪郭を有するパッド３を例示しているが、パッド３の形状は任意であり、他の形態の輪郭（例えば円形の輪郭）を有するパッド３であってもよい。
【００２０】
パッド３は、電子部品をはんだ付けする際に電極となる部分であり、通常は、回路パターン４と電気的に接続された状態にある。
【００２１】
ソルダレジスト５は、絶縁性の樹脂材を硬化させることで形成される。ソルダレジスト５は、回路パターン４の表面を覆うことで、回路パターン４を保護し、回路パターン４の短絡を防止し、さらに銅箔の酸化を防止する機能を有する。ソルダレジスト５は、プリント配線板１の表面全体にわたって形成されるが、パッド３に電子部品をはんだ付けするため、パッド３はソルダレジスト５に覆われることなく、露出した状態にある。つまりパッド３の表面は、ソルダレジスト５のない非被覆領域Ｍと対峙している。なお、プリント配線板１にスルーホール（図示せず）を形成する場合、このスルーホールにもソルダレジスト５は形成されない。
【００２２】
本実施形態では、ソルダレジスト５の非被覆領域Ｍ側の縁部を、ベース材２と接するように形成された第一層５ａと、第一層５ａの上（ベース材２から離隔する方向）に重なった第二層５ｂとを備える二層構造にしている。第一層５ａは、パッド３から離隔してパッド３の周囲全周を囲むように無端状に連続して形成され、かつ非被覆領域Ｍの周辺のみに形成される。第二層５ｂは、その非被覆領域側の端部５ｂ１を、第一層５ａの非被覆領域側の端部５ａ１よりも、非被覆領域Ｍが拡大する方向に後退させて形成されている。そのため、図２に示すように、第一層５ａとパッド３との間のレジストクリアランスαは、第二層５ｂとパッド３との間のレジストクリアランスβよりも小さい（α＜β）。第二層５ｂの端部５ｂ１は、概ね第一層５ａの幅方向中間部分に位置させる。
【００２３】
第一層５ａの幅寸法Ｗは、例えば０．５ｍｍに設定することができる。この場合、第二層５ｂを形成する際の誤差を考えると、第一層５ａの端部５ａ１に対する第二層５ｂの端部５ｂ１の後退距離γは、概ね０．０５ｍｍ〜０．４５ｍｍの範囲となる。
【００２４】
本実施形態において、第一層５ａと第二層５ｂは、公知の手法でベース材２の表面にパッド３および回路パターン４を形成した後で、何れもスクリーン印刷によって形成される。高精度のレジストクリアランスαを確保するため、第一層５ａを形成する際には、ステンレス鋼で形成したスクリーンメッシュを使用するのが好ましい。一方、第二層５ｂを形成する際には、インク供給量を増して十分な膜厚を確保するため、ポリエステル等の樹脂で形成したスクリーンメッシュを使用するのが好ましい。精度がそれほど必要とされない場合には、第一層５ａの形成時に樹脂製のスクリーンメッシュを使用することもできる。
【００２５】
スクリーン印刷に際しては、第一層５ａの形成時に第一樹脂材がインクとして使用され、第二層５ｂの形成時に、第一樹脂材と異なる第二樹脂材がインクとして使用される。本実施形態では、第一樹脂材として、第二樹脂材よりも高粘度のものが使用される。第一樹脂材と第二樹脂材の粘度の差は、両樹脂材のベース樹脂およびフィラーをそれぞれ共通のものとして、その配合割合を変更する他、両樹脂材のベース樹脂とフィラーのうちどちらか一方または双方の材料を変更することでも得ることができる。
【００２６】
また、第一樹脂材および第二樹脂材としては、紫外線硬化型および熱硬化型の何れも使用することができる。本実施形態では紫外線硬化型を第一樹脂材および第二樹脂材として使用している。基板上に第一樹脂材をスクリーン印刷して硬化させた後で、第二樹脂材をスクリーン印刷して硬化させることにより、ソルダレジスト５として第一層５ａおよび第二層５ｂを有するプリント配線板１が完成する。
【００２７】
高粘度である第一樹脂材の粘度としては、２５０〜５００［ｄＰａ・ｓ］の範囲が好ましい。一方、低粘度である第二樹脂材の粘度としては、１００〜３００［ｄＰａ・ｓ］の範囲が好ましい。なお、第二樹脂材としては、従来のように、スクリーン印刷で単層のソルダレジストを形成する際に使用されていたインクと同程度の粘度を有するものを使用するのが好ましい。
【００２８】
以上の粘度の差から、図２に概念的に示すように、低粘度樹脂材の硬化により形成された第二層５ｂの端部５ｂ１は、印刷直後の樹脂材のレベリングにより、下側（ベース材２側）ほどパッド３側に張り出した傾斜面状となる。これに対し、高粘度樹脂材の硬化により形成された第一層５ａの端部５ａ１は、印刷直後のレベリングが少ないため、第二層５ｂの端部５ｂ１よりも垂直面に近くなる。
【００２９】
このように、第一樹脂材と第二樹脂材を異ならせることで、第一層５ａを形成する第一樹脂材として、パッド３の周辺でソルダレジストを高精度に形成できるものを選択することができる。また、第二層５ｂの端部５ｂ１を、第一層５ａの端部よりも後退させているので、第一層５ａ上に第二層５ｂをたとえラフに形成しても、第二層５ｂがパッド３上にはみ出し難くなる。そのため、レジストクリアランス、特に第一層５ａとパッド３との間のレジストクリアランスαを狭小化することができ、精度の出にくいスクリーン印刷であっても、０．１ｍｍもしくはこれよりも小さいレジストクリアランスαを実現することが可能となる。このような狭いレジストクリアランスであっても、ソルダレジスト５のパッド上へのはみ出しは生じず、パッド３の形状や面積を精度よく管理することができる。
【００３０】
特に本実施形態のように、第一樹脂材の粘度を、第二樹脂材の粘度よりも高くした場合、粘度の高い第一樹脂材は塗布後に滲み出し難いため、第一層５ａを高精度に形成することができる。その後、第二層５ｂを形成する際に、粘度の低い第二樹脂材を使用しても、第二層５ｂの端部５ｂ１を、第一層５ａの端部５ａ１よりも非被覆領域Ｍが拡大する方向に後退させているため、滲み出した第二樹脂材がパッド３まで到達することはない。従って、パッド３上へのソルダレジスト５のはみ出しを防止することが可能となる。回路パターン４のほとんどの部分は、低粘度樹脂材を使用した第二層５ｂで覆われるため、回路パターン４の角部も確実にソルダレジスト５で覆うことができる。従って、ソルダレジスト５の絶縁性の低下を回避することができる。
【００３１】
次に、図４および図５に基づいて、第二の実施形態を説明する。
【００３２】
以上に述べた第一の実施形態では、隣接する複数（本実施形態では二つ）のパッド３を一つの非被覆領域Ｍに配置している。これに対し、第二の実施形態では、隣接する二つのパッド３の間に第一層５ａを形成し、各パッド３の周囲を無端状に連続する第一層５ａで囲むことで、二つの非被覆領域Ｍを形成している。二つのパッド３の間に第二層５ｂは形成されていない。各非被覆領域Ｍに、パッド３が一つずつ配置されている。これ以外の構成、および作用効果は、第一の実施形態に準じるため、重複説明を省略する。
【００３３】
次に、図６および図７に基づいて、第三の実施形態を説明する。
【００３４】
図１〜図５に示す各実施形態では、ソルダレジスト５の第一層５ａをパッド３から離隔させて設けている。これに対して、第三の実施形態は、第二の実施形態において、パッド３の縁部３’上にも第一層５ａを設けた構成を有する。第一層５ａに覆われていないパッド３の表面は、ソルダレジスト５のない非被覆領域Ｍに配置されている。
【００３５】
この場合、パッド３の表面にソルダレジスト５がはみ出しているが、はみ出しを生じているのはパッド３の縁部３’の狭い領域に限られ、しかもはみ出しているのが高粘度の第一樹脂材で形成された第一層５ａであるため、パッド３上でのはみ出し幅を正確にコントロールすることができる。従って、この実施形態でも、パッド３の形状や面積を精度よく管理することが可能となる。これ以外の構成、および作用効果は、第一の実施形態に準じるため、重複説明を省略する。
【００３６】
なお、この第三の実施形態では、平面視でのパッド３のサイズは、非被覆領域Ｍより少し大きい程度であり、非被覆領域Ｍ以外のパッド３の領域は、第一層５ａに被覆されている。しかし、本発明では、例えば、図８の右側のパッド３のように、平面視でのパッド３のサイズを、非被覆領域Ｍに比較して非常に大きくしてもよく、非被覆領域Ｍ以外のパッド３の領域に、第一層５ａに被覆されていない箇所が存在してもよい。
【００３７】
次に、図１０および図１１に基づいて、第四の実施形態を説明する。
【００３８】
図１〜図７に示す各実施形態では、非被覆領域Ｍの周辺のみに第一層５ａを形成している。これに対し、第四の実施形態は、第一層５ａをプリント配線板１の表面全体に形成した点が各実施形態と異なる。これ以外の構成、および作用効果は、第一の実施形態〜第三の実施形態に準じるため、重複説明を省略する。
【００３９】
以上の説明した各実施形態では、ソルダレジスト５の非被覆領域Ｍ側の縁部で、第一層５ａ上に第二層５ｂが重なっていたが、第二層５ｂの非被覆領域側の端部５ｂ１を、第一層５ａの非被覆領域側の端部５ａ１よりも、後退させていれば、第二層５ｂ上に第一層５ａが重なっていてもよい。なお、この場合には、第二層５ｂを形成した後に、第一層５ａを形成することになる。
【００４０】
また、各実施形態は、リジッド基板の他、折り曲げ可能なフレキシブル基板に対しても適用することができる。また、以上の実施形態では、片面プリント配線板を例示したが、両面プリント配線板や多層プリント配線板にも本実施形態の構成を適用することができる。
【符号の説明】
【００４１】
１      プリント配線板
２      ベース材
３      パッド
３’    縁部
４      回路パターン
５      ソルダレジスト
５ａ    第一層
５ａ１  端部
５ｂ    第二層
５ｂ１  端部
α、β  レジストクリアランス
Ｍ      非被覆領域
【図１】
2020113681.tif 000003
【図２】
2020113681.tif 000004
【図３】
2020113681.tif 000005
【図４】
2020113681.tif 000006
【図５】
2020113681.tif 000007
【図６】
2020113681.tif 000008
【図７】
2020113681.tif 000009
【図８】
2020113681.tif 000010
【図９】
2020113681.tif 000011
【図１０】
2020113681.tif 000012
【図１１】
2020113681.tif 000013
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
絶縁材料からなるベース材と、パッドと、回路パターンと、回路パターンを被覆するソルダレジストとを有し、前記パッドの表面の一部または全部を、ソルダレジストのない非被覆領域に配置したプリント配線板において、
前記ソルダレジストの前記非被覆領域側の縁部に、前記ベース材と接する第一層と当該第一層の上に重なった第二層とを設け、前記第一層および第二層がそれぞれスクリーン印刷で形成され、前記第一層が第一樹脂材を硬化させて形成されると共に、前記第二層が、前記第一樹脂材と異なる第二樹脂材を硬化させて形成され、
前記第二層の前記非被覆領域側の端部を、前記第一層の前記非被覆領域側の端部よりも後退させ、
前記第二層の前記非被覆領域側の端部を、前記ベース材側ほど前記パッド側に張り出すように傾斜させ、前記第一層の前記非被覆領域側の端部を、前記第二層の端部よりも垂直面に近くなる形状としたことを特徴とするプリント配線板。
【請求項２】
前記第一樹脂材の粘度を、前記第二樹脂材の粘度よりも高くした請求項１に記載のプリント配線板。
【請求項３】
前記第一層を、前記非被覆領域の周囲のみに設けた請求項１〜３の何れか１項に記載のプリント配線板。
【請求項４】
前記第一層を、パッドから離隔させて設けた請求項１〜３の何れか１項に記載のプリント配線板。
【請求項５】
前記第一層を、パッドの縁部上に設けた請求項１〜３の何れか１項に記載のプリント配線板。